(57)【要約】【課題】  高気密高断熱性の居住空間の軒先部が暖房装置による暖房の排熱で凍結防止される寒冷地向き一般住宅構造と、前記居住空間の用途別空間毎にきめ細かな暖房温度が確保される寒冷地向き一般住宅構造用暖房方式とを提供すること。【解決手段】  高気密高断熱性の居住空間の断熱天井部９又は／及び天井材６の上方に熱交換機２３を収納する収納空間２２が形成されるとともに、該収納空間２２と熱交換機２３からの送気ダクト２４を介して連通される軒裏空間２５が形成される。  また、居住空間の各用途別空間毎に温風量設定器２０により使用上の適温に暖房温度が確保される。【選択図】  図１
2007285678.tif 000002
【特許請求の範囲】
【請求項１】
断熱材を敷設して床下を形成する断熱基礎部と、内壁材の外側に断熱材を周設する断熱外壁部と、天井材の上方で屋根裏を仕切る断熱材を配設した断熱天井部とから成る高気密高断熱性の居住空間に、床下に熱源を配置した暖房装置を設けて成る寒冷地向き一般住宅構造において、
断熱天井部又は／及び天井材の上方に熱交換機を収納する収納空間が形成されるとともに、該収納空間とその内部に収められる熱交換機からの送気ダクトを介して連通される軒裏空間が形成されて成り、該送気ダクトからの熱によって屋根軒先部の凍結防止が図られることを特徴とする寒冷地向き一般住宅構造。
【請求項２】
断熱材を敷設して床下を形成する断熱基礎部と、内壁材の外側に断熱材を周設する断熱外壁部と、天井材の上方で屋根裏を仕切る断熱材を配設する断熱天井部とから成る高気密高断熱性の居住空間に、床下に熱源を配置した暖房装置を設けて成る寒冷地向き一般住宅構造において、
前記居住空間の各用途別空間毎に、使用上の適温に暖房温度が確保されて成る寒冷地向き一般住宅構造用暖房方式。
【請求項３】
前記暖房温度が、各用途別空間に配管されるダクトに設置された温風量設定器を介して各様の適温に確保されて成る請求項２記載の寒冷地向き一般住宅構造用暖房方式。
【発明の詳細な説明】
【技術分野】
【０００１】
本発明は、高気密高断熱性の居住空間を形成する寒冷地向き一般住宅構造と該構造用暖房方式に関する。
【背景技術】
【０００２】
従前から提案されている床下暖房に関する技術は、特開２００１−１５３３８０（特許文献１）や特開２００３−２７９０５８（特許文献２）などがあり、暖房温度の調節に関しては、特開平１１−２２９８３(特許文献３)や特開平１１−３０４２３７（特許文献４）、特開２００６−２３０５６（特許文献５）等で提案されている。
上記先行技術である特許文献１、２での床下暖房は、床下で加熱された空気を床面から放出して画一的に室内を暖房するものであり、暖房温度の調節に関しても画一的に床下温度と室内温度を検出して熱媒の流れを制御するものであり、居住空間における各個の用途別空間、例えば居間、客間、浴室・洗面所、台所、玄関ホール毎にきめ細かな温度制御ができていない上、使用済みの排熱が軒先の凍結防止に有効に利用されていない。
【特許文献１】特開２００１−１５３３８０号公報
【特許文献２】特開２００３−２７９０５８号公報
【特許文献３】特開平１１−２２９８３号公報
【特許文献４】特開平１１−３０４２３７号公報
【特許文献５】特開２００６−２３０５６号公報
【発明の開示】
【発明が解決しようとする課題】
【０００３】
本発明は上記に鑑みて、高気密高断熱性の居住空間が暖房装置で暖房されて成る寒冷地向き一般住宅構造において、暖房装置による暖房の排熱で屋根の軒先部の凍結防止が図られる寒冷地向き一般住宅構造と、前記居住空間の各個の用途別空間毎にきめ細かな暖房温度が確保される寒冷地向き一般住宅構造用暖房方式とを提供する。
【課題を解決するための手段】
【０００４】
上記課題を解決するための請求項１に記載の寒冷地向き一般住宅構造は、断熱材を敷設して床下を形成する断熱基礎部と、内壁材の外側に断熱材を周設する断熱外壁部と、天井材の上方で屋根裏を仕切る断熱材を配設した断熱天井部とから成る高気密高断熱性の居住空間に、床下に熱源を配置した集中暖房装置を設けて成る寒冷地向き一般住宅構造において、
断熱天井部又は／及び天井材の上方に熱交換機を収納する収納空間が形成されるとともに、該収納空間とその内部に収められる熱交換機からの送気ダクトを介して連通される軒裏空間が形成されて成る。
また、請求項２に記載した寒冷地向き一般住宅構造用暖房方式は、断熱材を敷設して床下を形成する断熱基礎部と、内壁材の外側に断熱材を周設する断熱外壁部と、天井材の上方で屋根裏を仕切る断熱材を配設する断熱天井部とから成る高気密高断熱性の居住空間に、床下に熱源を配置した集中暖房装置を設けて成る寒冷地向き一般住宅構造において、
前記居住空間の各用途別空間に、使用上の適温に暖房温度が確保されて成る。
さらに、請求項３に記載した寒冷地向き一般住宅構造用暖房方式は、請求項２に記載の寒冷地向き一般住宅構造用暖房方式において、前記暖房温度が、各用途別空間に配管されるダクトに設置された温風量設定器を介して各様の適温に確保されて成る。
【発明の効果】
【０００５】
以上のように本発明によれば、居住空間の各個の用途別空間毎にきめ細かな暖房温度が確保され、かつ、各用途別空間から回収された排熱は熱交換機に取り込まれて取り入れた外気を予熱してそれを熱源へ戻すとともに、送気ダクトから軒裏空間を暖めるものであり、快適な送気と共に屋根の軒先部の凍結防止が図られる効果を奏する。
【発明を実施するための最良の形態】
【０００６】
熱交換機によって外気を予熱して熱源へ供給するには、直接送気ダクトを床下へ配管するものから、自然対流によって特定の用途別空間から床下へ供給するなどであり、また、各用途別空間における暖房温度の適温の確保に関しては、床下の熱源において各個に風量制御されるものから、各用途別空間に配管されるダクトの吐出側に設ける温風量設定器により制御されるものなどである。また、軒裏空間に滞留する排熱はルーバーの開閉翼によって適度に排出されるものから、滞留圧力によって開閉する開閉窓による排出などである。
【実施例】
【０００７】
本発明の寒冷地向き一般住宅構造Ａを実施例により説明すると、図１に示すように、建家の敷地全面に断熱材１を敷設して床下を形成する断熱基礎部２と、内壁材３の外側に断熱材４を周設する断熱外壁部５と、二階の天井材６の上方で屋根裏７を仕切る断熱材８を配設する断熱天井部９とから成る高気密高断熱性の居住空間に、暖房装置１０を設けて成り、この暖房装置１０の熱源１１が床下空間１２に配置され、前記居住空間はダイニングキッチン１３、居室１４等の暖房ゾーンＡと、浴室（洗面所）１５、玄関ホール１６等の暖房ゾーンＢと、客室１７の暖房ゾーンＣとに区別されて、各暖房ゾーンＡ、Ｂ、Ｃそれぞれに区分して配管されたダクト１８によって熱源１１で暖められた温風が送風され、各暖房ゾーンＡ、Ｂ、Ｃ毎のダクト１９の吐出側に設けられた温風量設定器２０によって各個に適量の風量が設定され、各暖房ゾーン毎の用途別空間が適温に確保される。
そして、一階部分においては、二階の外壁に沿って取り入れた外気２１が、天井材６の上方に形成される収納空間２２に収められた熱交換機２３に取り込まれ、各用途別空間すなわち、暖房ゾーンＡ、Ｂ、Ｃで暖房に使用された排熱が熱交換機２３に取り込まれて前記外気２１が予熱され、その予熱された外気２１は各暖房ゾーンＡ、Ｂ、Ｃに送気されて、或は床下へ送気ダクト（図外）を介して供給され、熱源１１によって効率良く暖められて送気される。また、熱交換機２３で外気２１と熱交換されまだ熱エネルギーの残っている排熱は、送気ダクト２４によって軒裏空間２５に送出され、該空間２５を暖めて屋根の軒先部２６の凍結防止に使用され、遂にはルーバー（図外）を介して外部へ排出される。
また、二階部分では棟部２７から屋根裏７に取り入れられた外気２１が、断熱材８を貫通して配管されたダクト２８により熱交換機２３に取り込まれて前記と同様に排熱によって予熱され、居室１４の暖房ゾーンＡに供給されて暖房ゾーンＡを暖め、換気が図られる。換気された排熱は、熱交換機２３から送気ダクト２４で二階の軒裏空間２５に送出され、屋根の軒先部２６を暖めてその凍結防止に使用され、前記と同様にルーバー（図外）を介して外部へ排出される。また、図中二階の収納庫２９や納戸３０、階下中央の押入れ３１は温度を暖房ゾーンよりも低くてもよいので床下にそれぞれ断熱材４を敷設して床下からの熱を遮断する。さらに、床下空間１２においても暖房ゾーンＡ、Ｂ、Ｃ間の温度の交流を避けるために、各ゾーン間の床下束柱間に遮蔽壁を設ける。同壁には開閉自在の人の抜け通る人通口を設ける。これにより収納庫２９や納戸３０、押入れ３１には適温が確保される風量が供給され、各個にその排熱は熱交換機２３に取り込まれ、浴室・洗面所１５などの暖房ゾーンＢでの排熱は除湿機３２を介して送気ダクト２４によって軒裏空間２５に送出され、前記と同様に屋根の軒先部２６の暖房に再利用されてその凍結防止が図られる。
したがって、暖房装置１０によって暖められた各用途別空間からの排熱が、屋根の軒先部２６の凍結防止に再利用され、軒先に氷塊が形成されず、屋根上の雪は滑り易くなって屋根上での除雪が楽になる。
以上のように、各暖房ゾーンＡ、Ｂ、Ｃは適温に、例えば暖房ゾーンＡは常時使用する空間であるから２５℃程度の暖房温度が確保できる風量が設定され、暖房ゾ−ンＢではそれより５℃低い２０℃程度に確保される風量が設定され、暖房ゾーンＣでは殆ど使用しない空間ではあるが１５℃程度確保される風量が設定されるから、暖房装置１０におけるランニングコストが大幅に削減される。
【産業上の利用可能性】
【０００８】
本発明は、高気密高断熱性の居住空間で、その用途別空間毎にきめ細かな暖房温度が確保されるとともに、暖房の排熱が軒裏空間を暖めて屋根の軒先部の凍結防止を図るものであるから、暖房装置のランニングコストが削減されて、積雪寒冷地での居住者にとっての経済効果が大であり、その需要が大いに期待される。
【図面の簡単な説明】
【０００９】
【図１】本発明の寒冷地向き一般住宅構造Ａの説明用縦断面図。
【符号の説明】
【００１０】
１：断熱材
２：断熱基礎部
３：内壁材
４：断熱材
５：断熱外壁部
６：天井材
７：屋根裏
８：断熱材
９：断熱天井部
１０：暖房装置
１１：熱源
１２：床下空間
１３：ダイニングキッチン
１４：居室
１５：浴室（洗面所）
１６：玄関ホール
１７：客室
１８：ダクト
１９：ダクト
２０：温風量設定器
２１：外気
２２：収納空間
２３：熱交換機
２４：送気ダクト
２５：軒裏空間
２６：軒先部
２７：棟部
２８：ダクト
２９：収納庫
３０：納戸
３１：押入れ
３２：除湿機
Ａ、Ｂ、Ｃ：暖房ゾーン
ａ：寒冷地向き一般住宅構造
【図１】
2007285678.tif 000003